(57)【要約】【課題】糸通し具が挿通しやすく、釣糸の竿管内への挿通抵抗の少ない中通し釣竿を提供することである。【解決手段】大径竿管１２の一側に釣糸導入孔１２ｃを形成した釣糸導入部２４を有する中通し釣竿１０であって、釣糸導入孔１２ｃの先側から後側に延設され、大径竿管１２の一側から外側に離隔した位置にガイドリング４０を保持するリング保持部３７ｂを形成した釣糸ガイド３６を備え、このガイドリング４０は、大径竿管１２との近位点４２ｄが、釣糸導入孔１２ｃを通りかつ先側のリング部材３４ａと後側のリング部材３４ｂとに接する共通接線４４と、穂先側竿管２０の栓体開口端の釣糸挿通孔２６ａに対向する部位から延びて後側のリング部材３４ｂの外側に接する後側接線４６とが形成する角度の範囲内に配置され、大径竿管１２から最も離隔した遠位点４２ｃが、大径竿管との間に２０ｍｍ〜３０ｍｍの距離を形成する。【選択図】図２
2007228830.tif 000002
【特許請求の範囲】
【請求項１】
穂先側竿管を振出し継合する大径竿管の一側に釣糸導入孔を形成し、この釣糸導入孔の先側と後側との縁部を硬質のリング部材で覆い、この釣糸導入孔を通して、大径竿管の外側から内側に釣糸を導入する釣糸導入部を有し、この釣糸導入部から前記穂先側竿管の尻栓に形成した釣糸挿通孔から釣糸を穂先側に挿通する中通し釣竿であって、この釣糸導入部には、前記釣糸導入孔の先側から釣糸導入孔を超えて後側に延設され、釣糸導入孔の後側かつこの大径竿管の前記一側から外側に離隔した位置に、釣糸用ガイドリングを保持するリング保持部を形成した釣糸ガイドが配置され、このリング保持部で保持されるガイドリングは、大径竿管に最も近接する内面が、先側のリング部材内側に接しかつ後側のリング部材外側に接する共通接線と、前記穂先側竿管の尻栓開口端の釣糸挿通孔に対向する部位から延びて後側のリング部材の外側に接する後側接線とのそれぞれの延長線が形成する角度の範囲内に配置され、大径竿管から最も離隔した内面が、大径竿管との間に２０ｍｍ〜３０ｍｍの距離を形成する範囲に配置されることを特徴とする中通し釣竿。
【請求項２】
前記大径竿管から最も離隔した内面は、前記後側接線と、前記穂先側竿管の尻栓開口端の釣糸導入孔に対向する部位から延びて先側のリング部材の内側に接する前側接線とのそれぞれの延長線が形成する角度の範囲内に配置されることを特徴とする請求項１に記載の中通し釣竿。
【請求項３】
前記ガイドリングは、その全周にわたってリング保持部から後方に突出させて保持されることを特徴とする請求項１又は２に記載の中通し釣竿。
【請求項４】
前記ガイドリングは、大径竿管の軸線と交差する方向に延びる長軸を有する長円形に形成されることを特徴とする請求項１から３のいずれか1つに記載の中通し釣竿。
【請求項５】
前記ガイドリングは、長軸の長さが短軸の長さの２倍以上であることを特徴とする請求項４に記載の中通し釣竿。
【発明の詳細な説明】
【技術分野】
【０００１】
本発明は、釣竿に関し、特に、竿管の一側に貫通形成した釣糸導入孔を通して、竿管の外部から内部に釣糸を導入する釣糸導入部を有する中通し釣竿に関する。
【背景技術】
【０００２】
一般に、釣糸が竿管の内部を穂先まで案内される中通し釣竿の場合にあっては、魚釣用リールが取付けられる元竿に釣糸導入孔を形成し、魚釣用リールから繰出された釣糸を、この釣糸導入孔から竿管の内部に案内する釣糸導入部が設けられている。このような釣糸導入部を有する中通し釣竿は、魚釣用リールから放出される釣糸の収束性を担保し、釣糸に対する抵抗を低減して糸絡みが発生しないようにする必要がある。
【０００３】
このような中通し釣竿には、道糸を竿管の内部に導くガイドフレームを釣竿の外周部に装着し、このガイドフレームの先側に長円形のガイドリングを嵌め込んだものがある（例えば特許文献１参照）。
【特許文献１】特開平８−９８４２
【発明の開示】
【発明が解決しようとする課題】
【０００４】
しかし、このような中通し釣竿では、長円形のガイドリングを有するものであっても、竿管内に後方に向けて傾斜しつつ突入する管状の道糸導入体まで案内するものであり、この道糸導入体の内端部にも小径のガイドリングが設けられている。このガイドリングは開口面積が大きく形成されるとしても、魚釣用リールから繰出される釣糸の収束性をよくするものではなく、釣糸の導入抵抗を低減するものでもない。更に、釣糸を糸通しするためには、この長円形のガイドリングから管状の道糸導入体を介する複雑な経路に沿って挿通するために、屈曲性のあるワイヤ構造を持つ糸通し具が必要となる。
【０００５】
本発明は、このような事情に基づいてなされたもので、糸通し具が挿通しやすく、釣糸の竿管内への挿通抵抗の少ない中通し釣竿を提供することを目的とする。
【課題を解決するための手段】
【０００６】
上記目的を達成する本発明の中通し釣竿は、穂先側竿管を振出し継合する大径竿管の一側に釣糸導入孔を形成し、この釣糸導入孔の先側と後側との縁部を硬質のリング部材で覆い、この釣糸導入孔を通して、大径竿管の外側から内側に釣糸を導入する釣糸導入部を有し、この釣糸導入部から前記穂先側竿管の尻栓に形成した釣糸挿通孔から釣糸を穂先側に挿通する中通し釣竿であって、この釣糸導入部には、前記釣糸導入孔の先側から釣糸導入孔を超えて後側に延設され、釣糸導入孔の後側かつこの大径竿管の前記一側から外側に離隔した位置に、釣糸用ガイドリングを保持するリング保持部を形成した釣糸ガイドが配置され、このリング保持部で保持されるガイドリングは、大径竿管に最も近接する内面が、先側のリング部材内側に接しかつ後側のリング部材外側に接する共通接線と、前記穂先側竿管の尻栓開口端の釣糸挿通孔に対向する部位から延びて後側のリング部材の外側に接する後側接線とのそれぞれの延長線が形成する角度の範囲内に配置され、大径竿管から最も離隔した内面が、大径竿管との間に２０ｍｍ〜３０ｍｍの距離を形成する範囲に配置されることを特徴とする。
【０００７】
前記大径竿管から最も離隔した内面は、前記後側接線と、前記穂先側竿管の尻栓開口端の釣糸導入孔に対向する部位から延びて先側のリング部材の内側に接する前側接線とのそれぞれの延長線が形成する角度の範囲内に配置されることが好ましい。
【０００８】
また、前記ガイドリングは、その全周にわたってリング保持部から後方に突出させて保持されることが好ましい。
【０００９】
前記ガイドリングは、大径竿管の軸線と交差する方向に延びる長軸を有する長円形に形成されることが好ましく、更に、長軸の長さが短軸の長さの２倍以上であることが好ましい。
【発明の効果】
【００１０】
本発明の中通し釣竿によると、ガイドリングの大径竿管に最も近接する内面が、先側のリング部材内側に接しかつ後側のリング部材外側に接する共通接線と、穂先側竿管の尻栓開口端の釣糸挿通孔に対向する部位から延びて後側のリング部材の外側に接する後側接線とのそれぞれの延長線が形成する角度の範囲内に配置されることにより、このガイドリングから釣糸を糸通しする際に、直線的で屈曲部がないため、糸通し具が挿通抵抗をほとんど受けることがなく、挿通しやすい。
【００１１】
大径竿管から最も離隔した内面が、後側接線と前側接線とのそれぞれの延長線が形成する角度の範囲内に配置されることにより、これらの前側あるいは後側のリング部材と、ガイドリングとの２つの点で糸通し具を支持し、案内しつつ滑らかに挿通することができる。
【００１２】
また、ガイドリングが全周にわたってリング保持部から後方に突出する場合には、釣糸がリング保持部に当接することなく、直接ガイドリングに当接しつつ滑らかに導かれる。
【００１３】
このガイドリングが長円形形状を有する場合には、大径竿管に最も近接するガイドリングの内面を竿管に近づけつつ、反対側端部では竿管から離隔させることにより、糸通し具の挿通性を向上すると共に、釣糸に作用する抵抗を小さく出来、釣糸の収束性も向上することができる。
【発明を実施するための最良の形態】
【００１４】
図１から図３は、本発明の好ましい実施形態による中通し釣竿１０を示す。
【００１５】
図１にその全体の概略を示すように、本実施形態の中通し釣竿１０は、竿尻側に握り部１２ａと尻栓１２ｂとを設けた元竿管である大径竿管１２を有し、穂先側にトップガイド１４ａを取付けた第１竿管である穂先竿管１４を有し、この穂先竿管１４から竿尻側に順に第２竿管である穂持竿管１６と第３竿管である中竿管１８と第４竿管である元前竿管２０とを継合わせて形成してある。これらの第１〜第４竿管１４，１６，１８，２０は、基端外周面と先端内周面との各継合部Ｐ１〜Ｐ４で継合される振り出し構造であって、大径竿管１２内に収納される。これらの各竿管は、強化繊維に合成樹脂を含浸させた繊維強化プリプレグ（ＦＲＰ）を芯金に巻回した後、硬化、脱芯等の通常の工程を経て形成される。
【００１６】
大径竿管１２と穂先竿管１４との間の竿管の数については上述の３本に限定されることはない。また、例えば第２，第３竿管を省略して、第２竿管１６を大径竿管１２に継合させてもよく、大径竿管１２と第４竿管２０とを並継ぎにする等、部分的に並継ぎ構造を採用してもよい。また、大径竿管１２に形成される握り部１２ａ等の形態も図示のものに限定されることはない。更に、大径竿管１２の後方に、元竿管を設けることも可能である。
【００１７】
本実施形態の大径竿管１２には、各種の魚釣用リール（図示しない）を固定するリールシート２２が設けられ、この穂先側には、リールから延びる釣糸を側面から竿管の内側に導入する釣糸導入部２４が設けられている。
【００１８】
図２は、第４竿管２０を大径竿管１２から振出し、継合部Ｐ４で継合させて係止した状態を示す。この第４竿管２０内には第１竿管１４から第３竿管１８が順に収納されており、第４竿管２０の後端に取付けられた、例えばＡＢＳやポリアセタール等の好適材料で形成された栓体２６で支えられ、先端に取付けられた釣竿保護カバー２８で抜け止めされている。この釣竿保護カバー２８には、端壁２８ａを貫通して延びる挿入管３０が固定されており、第２〜第４竿管１６〜２０の先端を端壁２８ａに緩衝材２９を介して当接させたときに、この挿入管３０が第２竿管１６内に挿入され、第１竿管１４のトップガイド１４ａに当接する。第１竿管１４は、この挿入管３０により、第２竿管１６から抜出るのを防止される。符合３２は、釣竿保護カバー２８を大径竿管１２あるいは第４竿管２０の先端側に固定するための、例えばベルト部材である固定具を示す。
【００１９】
このように、大径竿管１２の先側に穂先側竿管である第４竿管２０を振出し状態で継合させると、釣糸導入部２４に形成した釣糸導入孔１２ｃが開かれ、大径竿管１２の内側の空間が外側に開放される。この釣糸導入部２４に形成した釣糸導入孔１２ｃは、大径竿管１２の側壁を貫通して形成され、大径竿管１２の軸線１３方向に沿って長軸が配置される長円形状を有している。この釣糸導入孔１２ｃの周縁部には、先側のリング部材３４ａおよび後側のリング部材３４ｂで示すように、硬質のリング部材３４ａ，３４ｂが配置されている。この釣糸導入孔１２ｃの先側で、釣糸ガイド３６が固定されている。
【００２０】
この釣糸ガイド３６は、例えばステンレス鋼等の金属板製のガイドフレーム３６ａと合成樹脂製の案内部材３６ｂとを重ね合せた構造を有し、先側の固定部３７ａが、本実施形態では大径竿管１２の内面に抜け止め固定された固定ブロック３８ａに、固定ネジ３８ｂを螺合することにより、釣糸導入孔１２ｃの先側に固定されている。この釣糸ガイド３６はガイドフレーム３６ａおよび案内部材３６ｂを、固定部３７ａから釣糸導入孔１２ｃを超えて大径竿管１２の後側かつこの大径竿管１２から離隔する方向に延設し、後側端部にリング保持部３７ｂを一体的に形成してある。
【００２１】
この釣糸ガイド３６は、固定部３７ａにより、大径竿管１２に対して片持ち状に保持される。ガイドリング４０を釣糸導入孔１２ｃの後側で保持するリング保持部３７ｂは、大径竿管１２から離間させて配置される。このリング保持部３７ｂと大径竿管１２との間に適宜の間隙Ｓを形成してもよい。このような間隙Ｓを設ける場合には、大径竿管１２に荷重が作用したときに、この釣糸ガイド３６の特にリング保持部３７ｂと干渉するのを防止し、これにより、大径竿管１２の釣糸導入部２４に大きな応力が形成されるのを防止することができる。なお、このような間隙Ｓを形成する場合は、後方に向けて次第に拡大させ、内部に入り込んだ釣糸がこの間隙Ｓ内で係止されないように形成することが好ましい。また、例えば柔軟な弾性材料等の好適材料をこの間隙Ｓに充填し、釣糸がこのような間隙Ｓに入り込まないようにしてもよい。
【００２２】
図２および図３に示すように、このリング保持部３７ｂに保持されるガイドリング４０は、例えばセラミック等の耐磨耗性の硬質材料で形成される。このガイドリング４０は、全体的に長円形に形成され、内孔４２を形成する内面は滑らかな曲面で形成され、外周部にはリング保持部３７ｂを形成するガイドフレーム３６ａあるいは案内部材３６ｂの一部の突条あるいは縁部（図示しない）が嵌合する周溝が形成されている。この内孔４２のこの長円形の長軸４２ａは大径竿管１２の軸線１３と交差する方向に延び、このガイドリング４０の長軸と釣糸導入孔１２ｃの長軸とが同一の平面内に配置される。また、このガイドリング４０を保持するリング保持部３７ｂは、大径竿管１２の後方に向けてこの大径竿管１２から離間する方向で、魚釣用リールからの釣糸放出方向に向いている。
【００２３】
このガイドリング４０は、その全周にわたって釣糸ガイド３６のリング保持部３７ｂよりも後方に突出した状態で保持される。これにより、魚釣用リールから繰出された釣糸は、摺動抵抗の小さな長円形のガイドリング４０で案内され、釣糸ガイド３６の案内部材３６ｂから釣糸導入孔１２ｃを介して大径竿管１２内に導かれる。このため、釣糸の導入抵抗が極めて小さく、糸絡みが生じ難い。
【００２４】
本実施形態のガイドリング４０は、釣糸ガイド３６の取付部の外径が１６ｍｍ〜２１ｍｍの大径竿管１２に対して、内孔４２の短軸４２ｂの長さが約７ｍｍ、長軸４２ａの長さが約１５ｍｍ程度の大きさに形成し、大径竿管１２の外径とバランスをよくし、糸通しをスムーズに行うために、短軸４２ｂの長さに対して長軸４２ａの長さが２倍以上とすることが好ましい。また、このガイドリング４０は、釣糸ガイド３６のリング保持部３７ｂに取付けたときに、長軸４２ａ上で大径竿管１２から最も離隔した内孔４２の内面と交差する遠位点４２ｃは大径竿管１２の表面との間の距離が２０ｍｍ〜３０ｍｍの範囲に形成されている。このように内孔４２の遠位点の位置を大径竿管１２から離隔させることにより、魚釣用リールから繰出される釣糸が竿管の外面に当たり難くなり、竿管との接触による抵抗を低減することができる。
【００２５】
この長円形のガイドリング４０は、長軸４２ａが大径竿管１２に最も近接した位置で内孔４２の内面と交差する近位点４２ｄが、先側のリング部材３４ａの内側に接しかつ後側のリング部材３４ｂの外側に接する共通接線４４と、元前竿管である第４竿管２０の栓体２６の開口端の釣糸導入孔１２ｃに対向する部位から釣糸導入孔１２ｃを通して大径竿管１２の外側に延びて後側のリング部材３４ｂに接する後側接線４６とのそれぞれの延長線が形成する角度の範囲内に配置される。これにより、ガイドリング４０の近位点４２ｄと後側リング部材３４ｂとに接するガイド側接線５０は、共通接線４４と後側接線４６との間に配置され、大径竿管１２の軸線１３に対して極めて小さな角度を形成する。
【００２６】
一方、ガイドリング４０の遠位点４２ｃは、後側接線４６と、栓体２６の開口端の釣糸導入孔１２ｃに対向する部位から釣糸導入孔１２ｃを通して大径竿管１２の外側に延びて先側のリング部材３４ａに接する前側接線４８とのそれぞれの延長線が形成する角度の範囲内に配置される。
【００２７】
このようにガイドリング４０が配置されることにより、後述する糸通し具を挿通する際、ガイドリング４０の遠位点４２ｃと先側リング部材３４ａとの２点に接触させた状態、およびガイドリング４０の近位点４２ｄと後側リング部材３４ｂとの２点で接触させた状態の範囲内であれば、この糸通し具の先端を大径竿管１２の内面に接触させることなく、栓体２６の開口端に直接挿入することができる。
【００２８】
本実施形態では、釣糸導入孔１２ｃの軸方向長さ（具体的にはリング部材３４ａ，３４ｂ間の長さ）を３５ｍｍ〜４０ｍｍに形成し、第４竿管２０が図２に示すように継合部Ｐ４で係止されたときの釣糸導入孔１２ｃから４０〜８０ｍｍの位置に栓体２６を配置し、この栓体２６の開口端の径を１０ｍｍ〜１４ｍｍに形成してある。これにより、大径竿管１２の軸線１３に対し、共通接線４４は約４°の角度α１を形成し、後側接線４６は約１３°の角度を形成し、前側接線４８は、約１９°の角度α３を形成する。ガイド側接線５０は、４°〜１３°の範囲に配置されるのが好ましく、ガイドリング４０の内孔４２は、４°〜１９°の範囲に配置される。近位点４２ｄの位置が角度α１とα２とで形成される範囲からずれた位置に配置されると、糸通し具を挿通するための挿通路が屈曲した状態となる。この場合は、糸通し具に挿入抵抗が作用する。
【００２９】
図４は、この釣糸導入部２４から挿入してこの中通し釣竿１０に糸通しを行うのに適した種々の糸通し具を示す。
【００３０】
図４の（Ａ）に示す糸通し具６０は、先細状の先端部６２を一体的に形成した細長い棒状の本体部６４を有し、後端には、ループ状の糸掛け部６６を金属管６８を介して固定してある。この糸通し具６０は、一般には５〜８％で、３％以上の伸び率を有する超弾性合金等の金属材料で形成される。すなわち、長手方向に負荷を加えたときに約３％以上の伸び率で変形し、その負荷を取り去ったときに約９０％以上の復元率で回復する材料で形成することが好ましい。例えばＮｉ−Ｔｉ系の合金、Ｎｉ−Ｔｉ−Ｆｅ系の合金、Ｎｉ−Ｔｉ−Ｃｕ系合金、Ｎｉ−Ｔｉ−Ｃｒ系の合金で形成することができる。
【００３１】
この糸通し具６０は、直径が約１．６ｍｍ、長さが４５０ｍｍ、重量が５ｇ以上とすることが好ましい。
【００３２】
図４の（Ｂ）に示す糸通し具６０Ａは、本体部６４Ａを密巻状コイルバネで形成してあり、糸掛け部６６をこの本体部６４Ａと同じ線材で一体に形成してある。また、図４の（Ｃ）に示す糸通し具６０Ｂは、糸掛け部６６Ａが後端側に向けて鋭角状の尖端を有し、自動ハリス止めのような形態に形成してある。
【００３３】
糸通し具６０，６０Ａ，６０Ｂのいずれも本体部６４，６４Ａ，６４Ｂの外径を、釣竿保護カバー２８の挿入管３０の内径よりも大きく形成してある。これとは逆に、挿入管３０の内径を糸通し具６０，６０Ａ，６０Ｂの外径よりも大きく形成してもよい。
【００３４】
図５は、このような糸通し具を用いて中通し釣竿１０に糸通しする状態を示す。
【００３５】
先ず、この中通し釣竿１０を上下反転させ、釣糸ガイド３６を上側に配置する。次いで、魚釣用リールから繰出した釣糸の先端を、例えば糸通し具６０の糸掛け部６６に取付け、ガイドリング４０の近位点４２ｄと後側リング部材３４ｂとに当接させ、先端部６２を釣糸導入孔１２ｃ内に挿入する。この状態で、糸通し具６０は中間部を屈曲させることなく、先端部６２を第４竿管２０の栓体２６の開口端に当接させることができる。
【００３６】
この栓体２６の開口端は、大径竿管１２の内面とほぼ同径の後端部から釣糸挿通孔２６ａに向けて縮径するすり鉢状形状を有するため、糸通し具６０を栓体２６の開口端に当接させた状態で、中通し釣竿１０の穂先側を下方に向けると、糸通し具６０が第１竿管１４内を穂先に向けて自重で落下する。なお、自重で落下しない場合は、上下に振ったり、遠心力で先側に移動させることができる。
【００３７】
挿入管３０の内径が本体部６４の外径よりも小さい場合には、糸通し具６０は先端部６２が釣竿保護カバー２８の挿入管３０に嵌合する。これとは逆に、この挿入管３０の内径が糸通し具６０の外径よりも大きい場合には、この挿入管３０を抜けて釣竿保護カバー２８の先端から外部に突出する。いずれの場合も、釣竿保護カバー２８を取外して挿入管３０から糸通し具６０を取り外し、あるいはこの釣竿保護カバー２８から抜出た糸通し具６０を引張って、魚釣用リールから繰出された釣糸を第１竿管１４のトップガイド１４ａから引出す。釣糸ガイド３６で保持されるガイドリング４０がこのリング保持部３７ｂから後方に突出しているため、糸通し具６０を滑らかにスライドさせることができ、更に、釣糸に対する挿通抵抗も小さい。
【００３８】
このような糸通しは、図４の（Ｂ）および（Ｃ）に示す糸通し具６０Ａ，６０Ｂを用いる場合も同様であるが、これらの糸通し具６０Ａ，６０Ｂは本体部６４Ａ，６４Ｂが変形し易くかつ弾力があることにより、釣糸ガイド３６内から細径の第１竿管１４内に挿入した後に、滑らかに屈曲できるため、これらの挿通路の角度変化に追従させて容易に挿通させることができる。
【００３９】
このように形成された中通し釣竿１０は、ガイドリング４０の大径竿管１２に最も近接する内面の近位点４２ｄが、先側のリング部材３４ａの内側に接しかつ後側のリング部材３４ｂの外側に接する共通接線４４と、穂先側の第４竿管２０の栓体２６の開口端の釣糸挿通孔２６ａに対向する部位から延びて後側のリング部材３４ｂの外側に接する後側接線４６とのそれぞれの延長線が形成する角度の範囲内に配置されることにより、このガイドリング４０から釣糸を糸通しする際に、ガイドリング４０と釣糸挿通孔２６ａとの間が直線的で屈曲部がないため、挿通抵抗をほとんど受けることがなく、糸通し具６０，６０Ａ，６０Ｂの挿通がきわめて容易に行うことができる。
【００４０】
大径竿管１２から最も離隔した内面の遠位点４２ｃが、後側接線４６と前側接線４８とのそれぞれの延長線が形成する角度の範囲内で大径竿管１２の外面から２０ｍｍ〜３０ｍｍの位置に配置されることにより、これらの先側あるいは後側のリング部材３４ａ，３４ｂと、ガイドリング４０との２つの点で糸通し具６０，６０Ａ，６０Ｂを案内しつつ滑らかに挿通することができる。この遠位点４２ｃが２０ｍｍよりも大径竿管１２近くに位置すると、釣糸の収束性が悪く、かつ釣糸挿通抵抗が増大し、３０ｍｍよりも遠くに位置すると、バランスが悪く、重量も重くなる。
【００４１】
また、ガイドリング４０が全周にわたってリング保持部３７ｂから後方に突出することにより、糸通し中、および実釣中のいずれの場合でも、釣糸がリング保持部３７ｂに当接することなく、直接ガイドリング４０に当接しつつ滑らかに導かれる。
【００４２】
更に、ガイドリング４０が長円形形状を有することにより、大径竿管１２に最も近接するガイドリング４０の内面における近位点４２ｄを大径竿管１２に近づけつつ、反対側の遠位点４２ｃを大径竿管１２から離隔させることにより、糸通し具の挿通性を向上すると共に、釣糸に作用する抵抗を小さくすることができる。すなわち、ガイドリング４０の近位点４２ｄが大径竿管１２の外面から離隔した位置に配置されると、糸通しの際に、ガイドリング４０と栓体２６との間に形成される挿通路が屈曲した状態となる。したがって、糸通し具６０は抵抗となって第１竿管１４内までスムーズに挿入されないことになる。
【００４３】
上述の中通し釣竿１０における釣糸導入部２４は、ガイドリング４０を長円形に形成することにより、ガイドリングの近位点４２ｄをできる限り大径竿管１２に近づけて大径竿管１２に対する傾斜角度を小さくし、糸通し具６０の挿通性を良好にすると共に、ガイドリング４０の遠位点４２ｃをできる限り大径竿管１２から離隔させて魚釣用リールから繰出される釣糸に与える抵抗を小さくしたもので、糸通しを容易とすることと、釣糸抵抗を小さくすることとの互いに相反する要求を満たすものである。しかも、ガイドリング４０を大径化した場合のような、幅広構造で大型化することによる突出量の増大および重量の増大といった不都合を生じることもない。
【図面の簡単な説明】
【００４４】
【図１】本発明の好ましい実施形態による釣竿の全体の説明。
【図２】図１に示す釣竿の釣糸導入部の内部構造を示す拡大断面図。
【図３】図２のＩＩＩ−ＩＩＩ線に沿う説明図。
【図４】糸通し具の種々の形態を示す説明図。
【図５】図４の（Ａ）に示す糸通し具を用いて糸通しする状態の説明図。
【符号の説明】
【００４５】
１０…中通し釣竿、１２…大径竿管、１２ｃ…釣糸導入孔、２０…第４竿管（穂先側竿管）、２４…釣糸導入部、２６…栓体、３４ａ…先側リング部材、３４ｂ…後側リング部材、３６…釣糸ガイド、３７ｂ…リング保持部、４０…ガイドリング、４４…共通接線、４６…後側接線。
【図１】
2007228830.tif 000003
【図２】
2007228830.tif 000004
【図３】
2007228830.tif 000005
【図４】
2007228830.tif 000006
【図５】
2007228830.tif 000007